(57)【要約】【課題】壁画画像を備えるボウリングレーンが開示される。【解決手段】一実施形態では、壁画画像の異なる部分をそれぞれ描いた複数のボウリングレーンパネルが提供される。この複数のボウリングレーンパネルは、複数のボウリングレーンパネルの組立て品が壁画画像を形成するように組立てられて表面上に固定される。別の実施形態では、ボウリングセンターに少なくとも２本のボウリングレーンが設けられる。各ボウリングレーンに１つの壁画画像が描かれ、いくつかのボウリングレーン上の壁画画像が複合多レーン壁画画像を形成する。【選択図】図１０
2010179099.tif 000002
【特許請求の範囲】
【請求項１】
壁画画像を備えるボウリングレーンを製作する方法であって、
各ボウリングレーンパネルが壁画画像の異なる部分を描く、複数のボウリングレーンパネルを設けるステップと、
前記複数のボウリングレーンパネルの組立て品が前記壁画画像を形成するように前記複数のボウリングレーンパネルを表面上に組み立てるステップと、
前記複数のボウリングレーンパネルを前記表面に固定するステップと、
を含む方法。
【請求項２】
請求項１記載の方法において、
各ボウリングレーンパネルが、前記壁画画像の特定部分を備える方法。
【請求項３】
請求項１記載の方法において、
前記壁画画像が、顧客によって提供されて前記複数のボウリングレーンパネル上に製作される方法。
【請求項４】
請求項１記載の方法において、
前記壁画画像の少なくとも一部が、白色光中で可視の多色インクを備える方法。
【請求項５】
請求項１記載の方法において、
前記壁画画像の少なくとも一部が、紫外光下で可視の光輝性インクを備える方法。
【請求項６】
請求項５記載の方法において、
前記光輝性インクの見かけの明彩度が、前記壁画画像にわたって変化する方法。
【請求項７】
請求項５記載の方法において、
前記壁画画像全体が紫外光下で可視の光輝性インクを備え、前記壁画画像が紫外光下でのみ可視である方法。
【請求項８】
請求項１記載の方法において、
前記複数のボウリングレーンパネルが、一方が白色光下で可視であり他方が紫外光下で可視である２つの壁画画像を形成する方法。
【請求項９】
請求項１記載の方法において、
前記ボウリングレーンパネルがファウルラインおよびピンデッキを規定し、前記壁画画像が前記ファウルラインと前記ピンデッキとの間に実質的に延在する方法。
【請求項１０】
請求項９記載の方法において、
前記ボウリングレーンパネルがアプローチエリアをさらに規定し、前記壁画画像が前記アプローチエリアに延在する方法。
【請求項１１】
ボウリングセンターであって、
第１の壁画画像の異なる部分を各々が描く第１の複数のボウリングレーンパネルを備える第１のボウリングレーンと、
第２の壁画画像の異なる部分を各々が描く第２の複数のボウリングレーンパネルを備える第２のボウリングレーンと、備え、
前記第１および第２の壁画画像が、多レーン壁画画像を形成するボウリングセンター。
【請求項１２】
請求項１１記載のボウリングセンターにおいて、
少なくとも１本の追加のボウリングレーンをさらに備え、前記少なくとも１本の追加のボウリングレーンの各々が、それぞれの少なくとも１つの追加の壁画画像の異なる部分を各々が描くそれぞれの複数のボウリングレーンパネルを備え、前記第１の壁画画像、第２の壁画画像、および前記少なくとも１つの追加の壁画画像が前記多レーン壁画画像を形成するボウリングセンター。
【請求項１３】
請求項１１記載のボウリングセンターにおいて、
前記第１および第２のボウリングレーン間に少なくとも１つのガターをさらに備え、前記少なくとも１つのガターが、前記第１および第２のボウリングレーンからの前記第１および第２の壁画画像とともに前記多レーン壁画画像を形成する壁画画像を備えるボウリングセンター。
【請求項１４】
請求項１１記載のボウリングセンターにおいて、
前記第１および第２のボウリングレーン間にボールリターンをさらに備え、前記ボールリターンが、前記第１および第２のボウリングレーンからの前記第１および第２の壁画画像とともに前記多レーン壁画画像を形成する壁画画像を備えるボウリングセンター。
【請求項１５】
請求項１１記載のボウリングセンターにおいて、
紫外光下で可視の光輝性インクを備える画像を備える、少なくとも１つのテーブルをさらに備え、前記光輝性インクの明彩度が前記テーブルにわたって変化するボウリングセンター。
【請求項１６】
請求項１１記載のボウリングセンターにおいて、
前記第１および第２の複数のボウリングレーンパネルの各々が、前記多レーン壁画画像の特定部分を備えるボウリングセンター。
【請求項１７】
請求項１１記載のボウリングセンターにおいて、
前記多レーン壁画画像が、顧客によって提供されて前記第１および第２の複数のボウリングレーンパネル上に製作されるボウリングセンター。
【請求項１８】
請求項１１記載のボウリングセンターにおいて、
前記多レーン壁画画像の少なくとも一部が、白色光中で可視の多色インクを備えるボウリングセンター。
【請求項１９】
請求項１１記載のボウリングセンターにおいて、
前記多レーン壁画画像の少なくとも一部が、紫外光下で可視の光輝性インクを備えるボウリングセンター。
【請求項２０】
請求項１９記載のボウリングセンターにおいて、
前記光輝性インクの明彩度が、前記多レーン壁画画像にわたって変化するボウリングセンター。
【請求項２１】
請求項１９記載のボウリングセンターにおいて、
前記多レーン壁画画像が主として紫外光下で可視の光輝性インクを備え、前記多レーン壁画画像が紫外光下でのみ可視であるボウリングセンター。
【請求項２２】
請求項１１記載のボウリングセンターにおいて、
前記第１および第２の複数のボウリングレーンパネルが、一方が白色光下で可視であり他方が紫外光下で可視である２つの多レーン壁画画像を形成するボウリングセンター。
【請求項２３】
請求項１１記載のボウリングセンターにおいて、
前記第１および第２の複数のボウリングレーンパネルがそれぞれ第１および第２のファウルラインと第１および第２のピンデッキを規定し、前記第１および第２の壁画画像がそれぞれ前記第１および第２のファウルラインと前記第１および第２のピンデッキとの間に実質的に延在するボウリングセンター。
【請求項２４】
請求項２３記載のボウリングセンターにおいて、
前記第１および第２の複数のボウリングレーンパネルがそれぞれ第１および第２のアプローチエリアをさらに規定し、前記第１および第２の壁画画像がそれぞれ前記第１および第２のアプローチエリアに延在するボウリングセンター。
【発明の詳細な説明】
【技術分野】
【０００１】
本発明は、壁画画像を備えるボウリングレーンに関する。
【背景技術】
【０００２】
関連出願への相互参照
本願は、２００９年２月３日に出願された米国仮特許出願第６１／２０６，６８９号の米国特許法第１１９条（ｅ）項に基づく出願日の利益を主張し、その全体が本願明細書において参照により援用されている。
【０００３】
ボウリングレーンのファウルラインからピンデッキまでの長さは典型的には６０フィート（約１８．３ｍ）である。伝統的なボウリングレーンでは、３９枚の木の板がレーン内に左右に連結されている。木材を用いる代わりに、積層パネルで合成ボウリングレーンが構築される場合がある。現在の合成レーンは、典型的には、レーン内に左右に連結された３９枚の木の板の画像を描くことによって、伝統的な木製ボウリングレーンのように見えるように作られている。場合によって、ブランズウィック  ボウリング  アンド  ビリヤード  コーポレイションへの特許文献１に記載されているように、合成ボウリングレーンが、装飾効果、広告（例えば、企業ロゴまたは製品名）あるいはスローガン（例えば“Ｓｔｒｉｋｅ  ‘Ｅｍ  Ｄｏｗｎ”）を有する層を含むことが可能である。同様に、ブランズウィック  ボウリング  アンド  ビリヤード  コーポレイションへの特許文献２に記載されているように、暗闇の中でボウリングレーンを発光させるように、不可視光下で可視の蛍光染料でボウリングレーンが処理されている場合もある。
【先行技術文献】
【特許文献】
【０００４】
【特許文献１】米国公開特許出願第２００５／００２０３６８号明細書
【特許文献２】米国特許第５，５２９，５４１号明細書
【特許文献３】米国特許第４，７９５，１５２号明細書
【特許文献４】米国特許第４，８６７，８１６号明細書
【特許文献５】米国特許第４，９４４，５１４号明細書
【特許文献６】米国再発行特許第３５，７７８号明細書
【特許文献７】米国特許第６，４５０，８９２号明細書
【特許文献８】米国特許第５，８８８，１４２号明細書
【特許文献９】米国特許第５，９２４，９３１号明細書
【発明の概要】
【０００５】
本発明は特許請求の範囲によって定義されるものであり、このセクションに記載された事項はそれらの特許請求の範囲に限定を加えるものではない。
前置きとして、以下に説明される実施形態は、壁画画像を備えるボウリングレーンに関する。一実施形態では、壁画画像の異なる部分をそれぞれ描いた複数のボウリングレーンパネルが提供される。この複数のボウリングレーンパネルが、複数のボウリングレーンパネルの組立て品が壁画画像を形成するように組立てられて表面上に固定される。別の実施形態では、ボウリングセンターに少なくとも２本のボウリングレーンが設けられる。各ボウリングレーンに１つの壁画画像が描かれ、いくつかのボウリングレーン上の壁画画像が複合多レーン壁画画像を形成する。これらの多パネルおよび／または多レーン壁画画像が、独創的な見た目のための連続像を作る。壁画の全部または一部を白色光中で可視とすることができ、紫外光輝性インクを用いてそれを引き立てることまたは作ることができる。他の実施形態が開示されるが、それぞれの実施形態は、単独でまたは他と一緒に組み合わせて用いることができる。
次に、添付の図面を参照しながら実施形態について説明する。
【図面の簡単な説明】
【０００６】
【図１】一実施形態の鯉のボウリングレーン壁画を示す図である。
【図２】一実施形態の水の図案のボウリングレーン壁画を示す図である。
【図３】一実施形態の波のボウリングレーン壁画を示す図である。
【図４】一実施形態の混合図案のボウリングレーン壁画を示す図である。
【図５】一実施形態の民族模様のボウリングレーン壁画を示す図である。
【図６】一実施形態のアロハフラワーのボウリングレーン壁画を示す図である。
【図７】一実施形態の多レーン壁画を示す図である。
【図８】一実施形態の多レーン壁画を示す図である。
【図９】一実施形態の多レーン壁画の一区分を示す図である。
【図１０】一実施形態のボウリングセンターを示す図である。
【図１１】一実施形態の複数のボウリングレーンの上面図である。
【図１２】一実施形態のボウリングレーンパネルの断面図である。
【発明を実施するための形態】
【０００７】
前書き
本願明細書で示される実施形態は、一般的に、壁画画像を備えるボウリングレーンに関する。これらの実施形態を用いて、独創的な見た目のための連続像である多パネルおよび／または多レーン壁画を作ることができる。この画像は白色光中で見ることができ、紫外光輝性インクを用いて引き立てることまたは作ることができる。これらの実施形態を合成ボウリングレーンに適用すれば、ボウリングレーンを大規模な装飾壁画に変えられる。各レーンパネルは全体の像の一部を含む。連結されて１本のボウリングレーンまたは多数本のボウリングレーンになれば、画像はさらに大きな連続画像（例えば、１２本のレーン一面に広がる壁画画像）を形成する。これらの画像を作るのに用いられるインクは、白色光中で可視の多色インクであることが望ましい。しかし、紫外照明下で可視の壁画を作るために、紫外照明下で可視の壁画画像を作るためにも用いることのできる、光輝性インク等の他のインクを用いることもできる。ただし、それらに限定されるものではない。光輝性インクの量と配置を変化させて明彩度が変化する見た目を作れば、画像内に奥行と影を作ることができる。光輝性インクの場合、（白色光源の点灯中、）レーンが通常の白色光中で伝統的なレーンのような外観を呈してもよく、紫外光源が点灯されると光輝性インク画像が可視になって多パネル壁画画像を作る。
【０００８】
一実施形態では、不可視照明下で可視かつ標準的周囲照明下で不可視の既存の発光レーン上に青色発光画像が印刷されている。
これらの実施形態を用いて、例えば以下のような多くの変形を利用することができる。
（１）単一レーン壁画およびさらに多レーン壁画を作るために、多数のレーンパネルにわたって多数の発光または非発光画像を印刷する。
（２）レーンにわたって明彩度の変化する（単色デザインの）発光画像を印刷する。
（３）積層テーブルの天板にわたって明彩度の変化する発光画像を印刷する。
【０００９】
これらの画像は、シルクスクリーン、印刷シリンダまたはデジタル印刷機能を用いること等の、任意の適当な技法を用いて印刷することが可能である。ただし、それらに限定されるものではない。従って、１本以上のボウリングレーン上に壁画を作るために任意の適当な装置および方法を用いることができる。
【００１０】
ボウリングレーン壁画の例
前述したように、壁画画像は任意の適当な形態を取ることができる。図１〜図６は、いくつかのボウリングレーン壁画の例である。図１は、一実施形態の鯉のボウリングレーン壁画を示す。図２は、一実施形態の水の図案のボウリングレーン壁画を示す。図３は、一実施形態の波のボウリングレーン壁画を示す。図４は、一実施形態の混合図案のボウリングレーン壁画を示す。図５は、一実施形態の民族模様のボウリングレーン壁画を示す。図６は、一実施形態のアロハフラワーのボウリングレーン壁画を示す。当然、これらは例に過ぎず、他の壁画画像を用いることもできる。壁画画像は、伝統的な３９枚の板の画像であってもよいし、または壁画内に描かれた画像とともにそれを含むものであってもよいことに留意するべきである。壁画画像によっては、特異な視覚経験を提供するために、伝統的なボウリングレーン標識がないことが重要な場合がある。いずれにしても、ボウラーらに視覚的案内を提供するために、特注生産の、テーマをもったレーン標識（例えば、魚のように見える標識）を用いることができる。
【００１１】
同様に、前述したように、任意の適当な種類のインクを壁画画像内で用いることができる。例えば、壁画画像の一部または全部を、白色光中で可視の多色インクを用いて描くことができる。その代わりに、壁画画像の一部または全部を、紫外光下で可視の光輝性インクを用いて描くこともできる。光輝性インクが用いられる場合、光輝性インクの明彩度が壁画画像全体にわたって均一である場合がある。または、画像内に奥行と影を与えるように、壁画画像にわたって明彩度が変化する場合がある。これは、光輝性インクによって水の画像を真に迫るものにすることが可能な水中の壁画において特に有用と思われる。さらに、壁画画像全体を光輝性インクを用いて描けば、壁画画像は紫外光下でのみ可視となる。その一方で、多色インクを用いて描かれた伝統的なボウリングレーン図案またはさらに第２の壁画画像は白色光下で可視である。
【００１２】
多くの代替案が可能である。例えば、図１〜図６では、壁画画像がボウリングレーンのファウルラインとピンデッキとの間に全体的に広がっていた。別の実施形態では、壁画画像がファウルラインとピンデッキとの間に実質的に（しかし、全体的にではなく）広がる。さらに別の実施形態では、ファウルラインに隣接するアプローチエリア内まで壁画画像が広がる。同様に、図１〜図６はボウリングセンター内の単一のレーン上のみの壁画画像を示しているが、ボウリングセンターが、壁画画像を備えるボウリングレーンを２本以上有する場合もある。これらのレーン上の壁画画像が互いから独立している場合があるのに対して、一実施形態では、いくつかのボウリングレーン上の壁画画像が、一緒に見たとき、１つの複合多レーン壁画画像を形成する。図７および図８は多レーン（ここでは６本のレーン）壁画画像の２つの例を示し、図９は多レーン壁画の一区分を構成する、単一レーンの壁画画像の例を示している。図７〜図８では、多レーン壁画画像がファウルラインからピンデッキまで水族館の光景が描かれ、桟橋の木の羽目板の画像が各レーンのアプローチエリア上に与えられている。前と同様に、これは一例に過ぎず、他の多レーン壁画画像を用いることもできる。
【００１３】
図７および図８に示されている多レーン壁画画像がボウリングレーンに適用された場合、ボウリングレーン間のボウリング要素（ガターおよび／またはボールリターン等）が多レーン壁画画像の連続的な外観を分断する可能性があることに留意するべきである。より連続的な外観を与えるために、これらのボウリングレーン要素も、これらの要素が多レーン壁画画像に溶け込むことを助ける、多レーン壁画画像の一部または色、デザイン等を含む場合がある。
【００１４】
さらに、多レーン壁画画像のテーマがボウリングセンターの他の部分に連続する場合もある。例えば、図１０のボウリングセンター１０００に示されるように、水中の多レーン壁画画像を複数のボウリングレーン１００２（および選択的にガター１００６ならびにボールリターン路カバー１００４）にわたって広げることに加えて、ボウリングセンターの側壁１０１３、レーンのアプローチエリア１０１８、およびピンセッタマスキング１００８が全て、多レーン壁画画像と少なくともテーマが関連する、あるいはその一部である画像を含む場合がある。ボウリングセンターに、全体のテーマになじむ他の要素がある場合もある。例えば、図１０に示されるボウリングセンター１０００では、ボールリターンが鮫の頭の鋳物に取り付けられている。ソファおよびテーブル等のボウリングセンターの備品も、多レーン壁画で用いられるものと同じかまたは異なるインクを用いて、壁画のテーマで描かれる場合がある。例えば、ボウリングセンター１０００が、紫外光下で可視であるとともにテーブルにわたって明彩度が変化する光輝性インクを用いて描かれた画像を有する、少なくとも１つのテーブルを備える場合がある。別の例として、ボウリングセンター１０００が、珍しい魚の水槽を有する、島をテーマにしたバーを含む場合もあり、靴を借りたりレーンを予約したりするサービスカウンタが木の船として艤装され、天井から魚の剥製が吊るされている場合がある。ボウリングセンター１０００が、例えば鮫、かもめ、浮き、たこ、ヒョウおよび人魚の画像を描いた、ブランズウィック  ボウリング  アンド  ビリヤード  コーポレイション製のビザボール(Viz-A-Ball)ボウリングボール等の、特注生産のボウリングボールを使用する場合もある。当然、他のテーマが使用される場合もある。例えば、多レーン壁画が、渓谷を見下ろす空中の眺めとして構成される場合、テーマが連続したマスキングおよび／または側壁が、渓谷を囲む山々の側面を向いた眺めを描くことができる。あるいは、レーン壁画が、船底がガラスのボートを通した熱帯の礁湖の眺めとして構成される場合、レーンに隣接する部品が、礁湖、ボート、またはレーン壁画とテーマが連続すると思われる他の特徴の壁画画像を有するように構成されてもよい。
【００１５】
ボウリングレーン壁画の構築例
壁画画像は任意の適当な態様でボウリングレーン上に配置することができる。一実施形態では、ボウリングレーンが、各々、壁画画像の異なる部分を印刷された複数のボウリングレーンパネルで構成された合成ボウリングレーンの形態を取る。一実施形態では、各ボウリングレーンパネルが壁画画像の特定部分を備え、従って、ボウリングレーンが組み立てられると、複数のボウリングレーンパネルが壁画画像を形成するように表面（例えば、既存の木のボウリングレーン、露出表面等）上に配列される。次に、複数のボウリングレーンパネルが、（例えば、ねじまたは釘等の留め具を用いる、接着剤等を用いるなどして）表面に固定される。図１１および図１２と併せて、この実施形態についてさらに詳細に説明する。
【００１６】
図１１は、一実施形態の複数のボウリングレーン１１００の上面図である。各レーンは、ボウリングピン１１０３を運ぶピンデッキ１１０２、ピンデッキ１１０２とファウルライン１１０５との間のレーン部１１０４、およびアプローチエリア１１０６を備える。レーン部１１０４の幅は典型的には４１．５インチ（約１．０５ｍ）であり、ファウルライン１１０５からピンデッキ１１０２まで６０フィート（約１８．３ｍ）である。アプローチエリア１１０６の長さは典型的には少なくとも１５フィート（約４．５７ｍ）である。くぼんだガター１１０８がレーン部１１０４の両側に沿って平行に伸び、ボールリターン路カバー１１１０が隣接レーン対間に配置されて、ボールをボウラーに戻すための機構を収容して隠すように構築されてもよい。
【００１７】
前述したように、伝統的な木の表面は、レーン内に左右に並んだ３９枚の木板を有しているが、この実施形態では、ボウリングレーンが、壁画画像の異なる部分をそれぞれ印刷された複数の合成ボウリングパネル１１２０で構成される。これらのパネルの組み立ておよび取り付けを助けるために、取り付ける人がパネルをどこに配置すればよいか分かるように、各ボウリングレーンパネル１１２０に何らかの形式の識別票を付けることが望ましい。
【００１８】
ボウリングレーンパネルは任意の適当な種類のものを用いることができる。図１２は、一実施形態のボウリングレーンパネル１２００の断面図である。図１２に示されるように、ボウリングレーンパネル１２００は、複数のフェノールホルムアルデヒド含浸ドラフト紙層を含む中央層１２０２を備える。層１２０２を形成する層の数は、表面材料１２００の合計の所望の厚みに基づいて選択される。全体の厚みは約１／８インチ（約３．１８ｍｍ）〜約３／８インチ（約９．５３ｍｍ）であってよく、所望の場合はより厚くまたはより薄くしてもよい。印刷層１２０４が中央層１２０２上に配置されてもよい。一実施形態では、印刷層が、５０番メラミンホルムアルデヒド含浸アルファセルロース紙または未処理アルファセルロース紙を用いて構築されてもよく、その上に所望の画像が印刷されてもよい。例えば、画像が木目の外観として構成されてもよい。約６〜約８ミル（約０．１５２〜約０．２０３ｍｍ）の硬化厚さを与えるために紙が付けられてもよい。
【００１９】
この実施形態では、第１の透明被覆層１２０６が印刷層１２０４上に配置される。この第１の透明被覆層１２０６は、１層あたり約４〜約５ミル（約０．１０２〜約０．１２７ｍｍ）の硬化厚さで付けられた、酸化アルミニウム含浸メラミンホルムアルデヒド含浸アルファセルロース紙で構築されてもよく、耐摩耗性を増大させるために複数の層が追加されてもよい。層１２０６の層数は、印刷層１２０４の所望の外観に応じて調節されてもよい。第２の透明被覆層１２０８が第１の被覆層１２０６上に配置されてもよい。第２の被覆層１２０８は、１層あたり約４〜約５ミル（約０．１０２〜約０．１２７ｍｍ）の硬化厚さで付けられた低摩耗性（非酸化アルミニウム含浸）メラミンホルムアルデヒド含浸アルファセルロース紙で構築されてもよい。表面材料が、それぞれ本願明細書において参照により援用されている特許文献３〜７に開示されているものを含んでもよい。本願明細書において参照により援用されている特許文献１に、適当なパネル構築に関するさらなる情報を見出すことができる。
【００２０】
印刷層１２０４が壁画画像を含み、印刷層材料および被覆層材料に適合するインクを塗布するのに用いられるシルクスクリーン技法を用いて印刷されてもよい。あるいは、またはそれに加えて、印刷層１２０４がドット印刷、レーザ印刷、または任意の他の適当な印刷技法あるいは技術を用いて印刷されてもよい。前述したように、壁画は、白色光中で可視の多色インク、および／または紫外光下で可視の光輝性インクを含むこともできる。同様に、前述したように、光輝性インクを用いる場合、インクの異なる明彩度を利用して発光強度を変化させ、壁画の外観に発光アクセントを与えることができる。異なる壁画部分（例えば、（ｉ）白色光下で可視であるが、紫外光下で可視でない部分、（ｉｉ）紫外光下で可視であるが、白色光下で可視でない部分、および／または（ｉｉｉ）紫外光下および白色光下両方で可視の部分）を形成するために、白色光インクおよび紫外光インクの様々な組み合わせを用いることができる。紫外光下および白色光下両方で可視の部分を有する壁画に対して、白色光可視画像にアクセントをつけるために紫外光および紫外蛍光インクが用いられてもよい。それぞれ本願明細書において参照により援用されている特許文献８および特許文献９に、これらの実施形態で用いることのできる光輝性インクの使用について記載されている。
【００２１】
ボウリングレーンパネル上に壁画画像を印刷することができるので、壁画画像は（例えば、ボウリングセンター経営者またはデザイナーによって）ユーザ用に特注生産することができる。操業中、ボウリングレーンパネル製造業者がユーザから壁画画像の依頼を受ける。この段階では、壁画画像が所望の作品のコンピュータファイル（例えば、ｊｐｅｇ画像）の形態を取ることができる。この場合、複数のボウリングレーンパネル上へ配置されるように壁画画像の片が構成され、次に、その片が各ボウリングレーンパネル上に印刷される。前述したように、後でそれらのパネルを適切に組み立てて壁画画像を形成し易くするために、何らかの形式の識別票（例えば、「６の１」）を各ボウリングレーンパネル上に付けることができる。この過程には、ボウリングレーンパネル以外のボウリングセンター要素にわたって壁画画像そのものまたは壁画画像のテーマを連続させるために、ガター、ボールリターン等上に配置される、独立した接着性材料の印刷（またはシルクスクリーニング、熱間鍛造等）を含めることができる。このような接着性材料は、既存のボウリングレーン上に広げられる合成レーン表面と同様のものとすることができる。このような材料は、典型的には、一方の側が自然に見える木のレーンを刷り込まれ、他方の側が感圧接着剤を有する。同様に、個々のボウリングレーンパネル上に壁画画像を印刷するのでなく、ガター、ボールリターン等を覆うレーンカバーを用いる代わりに、またはそれに加えて、壁画画像をレーンカバー上に印刷して既存のボウリングレーン上に付けることもできる。
【００２２】
結び
前述した詳細な説明は本発明が取ることのできる形態の選択例を示すものとして理解されるべきであり、本発明の定義として理解されるべきではないことが意図されている。本発明の範囲を定義することが意図されているのは、全ての均等物を含む添付の特許請求の範囲のみである。最後に、本願明細書において説明されたいずれの好ましい実施形態のいかなる態様も、単独でまたは他の実施形態と組み合わせて用いることができることに留意するべきである。
【図１０】
2010179099.tif 000003
【図１１】
2010179099.tif 000004
【図１２】
2010179099.tif 000005
【図１】
2010179099.tif 000006
【図２】
2010179099.tif 000007
【図３】
2010179099.tif 000008
【図４】
2010179099.tif 000009
【図５】
2010179099.tif 000010
【図６】
2010179099.tif 000011
【図７】
2010179099.tif 000012
【図８】
2010179099.tif 000013
【図９】
2010179099.tif 000014
【外国語明細書】
2010179099000001.pdf